(57)【特許請求の範囲】
【請求項１】
ディスプレイ装置のためにチャネルヒストリーマップを提示するための方法であって、
データベースをメモリに構成し、所定の基準に基づいて予めユーザによって選局されたチャネルに対する複数のチャネル情報セットが前記データベースに記憶され、
ユーザによってヒストリーマップが要求される時、前記データベース及びＯＳＤ（Ｏｎ Ｓｅｒｅｅｎ Ｄｉｓｐｌａｙ）の形式による複数の選択可能なチャンネル関連機能に基づいたチャネルヒストリーマップをディスプレイし、
前記ＯＳＤを介してユーザからの第１入力及び第２入力を受信し、前記第１入力は選択可能なチャンネルとして前記チャンネルヒストリーマップのうちの１つのチャンネルを決定し、前記第２入力は選択可能な機能として前記チャンネル関連機能のうちの１つの機能を決定するものであり、
前記第１入力及び前記第２入力によって、前記選択されたチャンネルのための前記選択された機能を行う、
ステップを有することを特徴とする方法。
【請求項２】
前記所定の基準とは、所定の時間と及びユーザによる所定の選択順序のうちの一つである、請求項１に記載の方法。
【請求項３】
前記データベースを構成するステップは、前記複数のチャネル情報セットを前記チャネルがユーザにより選局される順序で前記データベース内に記憶することを有し、前記ディスプレイ装置はデジタルテレビである、請求項１に記載の方法。
【請求項４】
前記複数のチャネル情報セットの各々はチャネル識別子及びプログラム情報を含み、前記プログラム情報は放送日又は放送時間情報、放送局名、プログラムのタイトル、プログラムのジャンル、及びプログラムレイティングのうちの少なくとも一つを含む、請求項１に記載の方法。
【請求項５】
前記複数の選択可能なチャネル関連機能は、
前記選択されたチャネルで選局し、該当放送信号を受信するチャネル変更機能と、
前記選択されたチャネルのプログラム情報をディスプレイするプレビュー機能と、
お好みのチャネルとして前記選択されたチャネルを決定するお好みチャネル機能と、を含む請求項１に記載の方法。
【請求項６】
前記プログラム情報はテキスト説明及びビデオ・オン・デマンド・サービスのうちの少なくとも一方である、請求項５に記載の方法。
【請求項７】
前記データベースを構成するステップは、
（ａ）現在のチャネルに対するチャネル情報セットを求め、
（ｂ）前記ユーザからチャネル変更命令を受信した時に前記現在のチャネル情報セットを前記メモリに記憶し、
（ｃ）前記チャネル変更命令により指示された次のチャネルに選局し、及び
（ｄ）受信された各追加のチャネル変更命令に対してステップ（ａ）乃至（ｃ）を繰り返すステップを有する、請求項１に記載の方法。
【請求項８】
前記現在のチャンネル情報セットを前記メモリに記憶するステップにおいて、前記現在のチャンネル情報セットは前記現在のチャンネルの該当ディスプレイ時間が所定の時間より大きい場合にのみ前記メモリに記憶される、請求項７に記載の方法。
【請求項９】
前記現在のチャンネル情報セットを前記メモリに記憶するステップにおいて、前記現在のチャンネル情報セットは前記チャネル情報セットが前記選局されたチャネルのレファランス情報と一致する場合にのみ前記メモリに記憶され、前記レファランス情報は現在の日付又は時間情報、前記選局されたチャネルの実際のチャネル番号、及び前記放送信号の信号タイプのうち少なくとも一つを含む、請求項７に記載の方法。
【請求項１０】
前記データベースを構成するステップは、
（ａ）初期チャネルで選局し、
（ｂ）前記選局されたチャネルを通して放送信号を受信及び前記放送信号から映像信号及びチャネル情報セットを分離し、
（ｃ）前記映像信号を処理及び前記チャンネル情報セットを第１メモリに記憶し、
（ｄ）前記映像信号をディスプレイ装置にディスプレイ及び前記選局されたチャネルに対応するディスプレイ時間の測定を開始し、
（ｅ）チャネル転換命令が前記ユーザから受信される場合、前記ディスプレイ時間が設定された時間より大きいか否かを決定し、
（ｆ）前記ディスプレイ時間が前記設定期間より大きいか否かに基づいて、前記チャンネル情報セットが前記選局されたチャネルに対する現在の情報であるか否かを決定し、
（ｇ）前記チャンネル情報セットが現在の情報であると決定された場合、前記第１メモリに記憶された前記チャネル情報セットを前記メモリに記憶し、
（ｈ）前記受信されたチャネル変更命令に従って指示された次のチャネルに選局し、及び
（ｉ）前記次のチャネルに対してステップ（ｂ）乃至（ｈ）を繰り返すこと、
を有する請求項１に記載の方法。
【請求項１１】
前記チャンネル情報セットが前記選局されたチャネルに対する現在の情報であるか否かを決定するステップは、さらに前記チャンネル情報セットが、現在の日付又は時間情報、前記選局されたチャネルの実際のチャネル番号、及び前記放送信号の信号タイプのうち少なくとも一つを含む前記次のチャネルのレファランス情報と一致するか否かに基づく、請求項１０に記載の方法。
【請求項１２】
デジタルテレビシステムにおいて、
メモリと、
ユーザによって順次に既選局されたチャネルに対する複数のチャネル情報のセットを含むデータベースを前記メモリに構成するため前記メモリに結合される制御部と、
ユーザによってチャネルヒストリーマップをディスプレイするための要求が行われる時、前記データベース及びＯＳＤ（Ｏｎ Ｓｅｒｅｅｎ Ｄｉｓｐｌａｙ）の形式による複数の選択可能なチャンネル関連機能に基づいたチャネルヒストリーマップをディスプレイするため前記制御部に結合されるディスプレイ部とを有し、
前記制御部は、前記チャンネルヒストリーマップ及びＯＳＤの形式で複数の選択可能なチャンネル関連機能がディスプレイされている間に、第１入力及び第２入力をユーザから受け取ることによって、選択されたチャンネルのための選択された機能を行い、前記第１入力は前記選択されたチャンネルとして前記予め選局されたチャンネルのうちの１つを決定し、前記第２入力は前記選択された機能として複数の選択可能なチャンネル関連機能のうちの１つを決定する、
ことを特徴とするデジタルテレビシステム。
【請求項１３】
前記複数のチャネル情報セットは前記チャネルがユーザにより選局される順序で前記データベース内に記憶される、請求項１２に記載のデジタルテレビシステム。
【請求項１４】
前記複数のチャネル情報セットの各々はチャネル識別子及びプログラム情報を含み、前記プログラム情報は少なくとも一つの放送されたプログラムのうち放送日又は時間情報、放送局名、プログラムのタイトル、プログラムのジャンル、プログラムレイティングのうち少なくとも一つを含む、請求項１２に記載のデジタルテレビシステム。
【請求項１５】
前記複数の選択可能なチャネル関連の機能は、
前記選択されたチャネルに選局し及び対応する放送信号を受信するチャネル変更機能と、
テキスト又はビデオ・オン・デマンド・サービスを用いて前記選択されたチャネルのプログラム情報をディスプレイするプレビュー機能と、
前記選択されたチャネルをお好みのチャネルとして決定するお好みチャネル機能とを含む請求項１２に記載のデジタルテレビシステム。
【発明の詳細な説明】
【０００１】
【発明の属する技術分野】
本発明は一般的にディスプレイ装置又はシステムに関する。
【０００２】
【従来の技術】
一般に、デジタルテレビシステムはアナログテレビシステムよりずっと多数のチャネルを有する。例えば、人口の多いアメリカの特定の都市のような場合、デジタルテレビシステムは数百個ものチャネルが存在可能である。この様に、デジタルテレビシステムは数多くのチャネルを有することから、視聴者は広範囲なチャネル選択が楽しめる反面、それぞれのチャネル選択方法はより複雑になっている。
【０００３】
上記の様な理由から、従来のデジタルテレビシステムは１つ又はそれ以上のお好みのチャネルを決定するための機能としてチャネル予備選択の機能を有している。
デジタルテレビシステムのチャネル予備選択の機能を使用して、ユーザはそれぞれのチャネルの付加情報を検討しながら視聴を希望する一連のチャネルを予め選択することができる。このように、ユーザはチャネルの選択時に興味のないチャネルはスキップし、既選択されたチャネルのみを視聴することで、より効率的に希望のチャネルを選択することができる。
【０００４】
既選択されたチャネルで所望のプログラムを視聴するためチャネルを選択する時、ユーザは遠隔制御装置又はテレビシステムのキーパネルから提供されたチャネルアップ又はチャネルダウンボタンを押すことにより、１回又はそれ以上のチャネルアップ又はチャネルダウン命令を入力する。例えば、ユーザが登録されたチャネルセットとして既選択された１番、３番、５番、７番及び８９番のチャネルを有しており、現在１番のチャネルを視聴している場合、チャネル８９を選択して視聴するためにはチャネルアップボタンを４回押す。その後、ユーザがチャネル１を再度視聴したい場合、通常、チャネルダウンボタンを３回押す。しかしながら、上述したように、以前のチャネルと現在視聴中であるチャネルとの間に多数の予備選択チャネルが存在する場合、従来の技術によるシステムでは相当な不具合があった。
【０００５】
【発明が解決しようとする課題】
本発明の目的は、従来技術の短所による問題点を実質的に防止できるデジタルテレビシステムにおいてチャネルヒストリーマップを提供する装置及び方法を提供することにある。
【０００６】
本発明の他の目的はユーザにより行われた以前のチャネル選択のセットを指し示すディスプレイ装置に対するヒストリーマップを出力する装置及びその方法を提供することにある。
【０００７】
本発明の他の目的はチャネルヒストリーマップに対するデータベースを構成する方法を提供することであり、前記データベースはユーザによって既選択され、選局されたチャネルに対する複数のチャネル情報セットを含む。
【０００８】
本発明の他の目的は１つ又はそれ以上の既選択されたチャネルを指し示す選択可能なチャネルヒストリーマップ、それぞれのチャネルに対するチャネル情報セット及び複数のチャネル関連機能を提供する装置及び方法を提供することにある。
【０００９】
本発明の他の目的は、１つ又はその以上の既選択されたチャネルを指し示すワン・クリック選択チャネルヒストリーマップ、それぞれのチャネルに対するチャネル情報セット及び複数のチャネル関連機能を提供する装置及び方法を提供することにある。
【００１０】
【課題を解決するための手段】
上記のような目的を達成するために、本発明に係るチャネルヒストリマップの提供方法は、予めユーザによって順次に選局されたチャネルに対する複数のチャネル情報セットを含むデータベースをメモリに構成し、ユーザによってヒストリーマップのディスプレイが要求される時、選択可能なＯＳＤ（ｏｎ  ｓｅｒｅｅｎ ｄｉｓｐｌａｙ）を用いてデータベースに基づいてチャネルヒストリーマップをディスプレイする。各チャネル情報セットは一つのチャネル識別子及び以前のプログラムの情報を含むことができる。プログラム情報は少なくとも一つの放送されたプログラムのうち放送日／時間情報、放送局名、プログラムのタイトル、プログラムのジャンル、及びプログラムレイティング（ｒａｔｉｎｇ）のうち少なくとも一つを含むことができる。複数の選択可能なチャネル関連機能はチャネル変更機能、プレビュー機能、お好みチャネルの追加／削除機能及びプレーバック機能を含むことができる。
【００１１】
さらに、上記のような目的を達成するために、本発明に係るデジタルテレビシステムは、メモリと、ユーザによって順次に既選局されたチャネルに対する複数のチャネル情報のセットを含むデータベースをメモリに構成するためメモリに結合される制御部と、ユーザによってチャネルヒストリーマップをディスプレイするための要求が行われる時、ユーザが選択可能なデバイスを使用してデータベースに基いてチャネルヒストリーマップをディスプレイするため制御部に結合されるディスプレイ部とを含む。
【００１２】
さらに、上記のような目的を達成するために、本発明による方法は、所定の基準に従ってユーザにより既選局されたチャネルに対する複数のチャネル情報を含むデータベースをメモリに構成し、ユーザによってチャネルヒストリーマップに対する要求が行われる時、データベースに基づいてチャネルヒストリーマップを出力する。
【００１３】
さらに、上記のような目的を達成するために、本発明によるチャネルヒストリーマップを使用する方法は、既選局された複数のチャネルのうち一つを選択されたチャネルとして決定する第１入力、及び複数の選択可能なチャネル関連機能のうち一つを選択された機能として決定する第２入力を、選択可能なチャネルヒストリマップを通してユーザから同時に受信し、機能を選択するため選択されたチャネルに対する選択されたチャネル関連機能を行う。
【００１４】
【発明の実施の形態】
以下、本発明の実施形態を図面に基づいて詳細に説明する。
【００１５】
図１は本発明によるデジタルテレビシステムになり得るディスプレイ装置の望ましい実施形態を示す。図１に示すように、前記デジタルテレビシステムはディスプレイ部２０と、該当放送信号を受信するため、選択されたチャネルに選局するチューナ１０及び、信号処理部３０を含む。信号処理部は信号を選局されたチャネルの映像信号、音声信号及び付加情報に変換するため、チューナ１０を介して受信された選局チャネルの放送信号に必要な信号処理機能を行うことができる。
【００１６】
それぞれのチャネルの付加情報はＥＰＧ（Ｅｌｅｃｔｒｏｎｉｃ Ｐｒｏｇｒａｍ Ｇｕｉｄｅ）のようなＯＳＤ機能を使用するか、放送信号からの入力を通してユーザに提供されることができる。チャネルの付加情報はチャネルを介して提供されるプログラムの放送時間及び長さ、レイティング（例えば、映画等級）、プログラムタイプ及びその他の情報を含むことが望ましい。ユーザは初期にチャネルの付加情報を注視し、チャネル予備選択の機能（例えば、お好みのチャネル）、プログラム録画の機能及び、その他の機能などのような多様なチャネル関連の機能を行うことができる。
【００１７】
図１に示すテレビシステムは、制御部４０及び、好しくは選局されたチャネルの付加情報を記憶させるための第１メモリ空間（例えば、バッファ）及び、現在選局されたチャネルの以前に選択された１つ又はそれ以上の以前のチャネルの付加情報を含むチャネルヒストリーマップを記憶させるための第２メモリ空間を有するメモリ５０を更に含むことができる。制御部４０はユーザからチャネル転換命令を受信する時、メモリ５０に記憶されたチャネルヒストリーマップを更新することができ、情報専用又は選択可能なダイアログウィンドーのようなＯＳＤ機能を使用して、更新されたチャネルヒストリーマップをディスプレイするためディスプレイ部２０に制御信号を発生させることができる。
【００１８】
チャネル変更命令を受信すると、制御部４０は初期にメモリ５０の第１メモリから選局されたチャネルの付加情報を読み出し、第１メモリ空間から読み出された情報を第２メモリ空間に記憶することで、メモリ５０の第２メモリ空間に記憶されたチャネルヒストリマップを更新する。
【００１９】
以下、本発明に係る図１のシステムの動作を説明する。
ユーザが初期にテレビシステムの希望チャネルを選択する時、チューナ１０は選択されたチャネルに選局し、選局されたチャネルを通して該当放送信号を受信する。信号処理部３０は放送信号を選局されたチャネルの映像及び音声信号と付加情報に変換する。
その後、映像及び音声信号はスピーカ（図示せず）及びディスプレイ部２０を介してそれぞれ出力されることが好ましい。また、選局されたチャネルの付加情報は、制御部４０が生成した制御信号に従ってメモリ５０の第１メモリ空間に初期に記憶され、制御部４０は選局されたチャネルのディスプレイ時間を測定し始める。
【００２０】
ユーザが遠隔制御装置、テレビシステムのキーパネルなどに提供された１つ又はその以上のボタンを押すことにより、チャネル変更命令を入力する時、ＴＶシステムの制御部４０はメモリ５０の第１メモリ空間から選局されたチャネルの付加情報を読み出すことができ、読み出されたデータが実際のデータを表すかの可否を判定した上、読み出された情報をチャネルヒストリーマップに記憶させることにより、第２メモリ空間に記憶されたチャネルヒストリーマップを更新する。判定は読み出された付加情報をテレビシステムのレファランス情報と比較することで行われることが望ましい。
【００２１】
その後、テレビシステムの制御部４０はチューナ１０がチャネル変更命令に従って新たに選択されたチャネルに選局することができ、新たな放送信号を受信できるように必要な制御信号を生成する。信号処理部３０は新たな放送信号を映像、音声及び付加情報信号に変換することができる。
【００２２】
制御部４０はユーザがチャネル変更命令を入力する毎にメモリ５０に記憶されたチャネルヒストリーマップを更新することができる。チャネルヒストリーマップのサイズ、例えば、既選択されたチャネルの付加情報セットの数はメモリ５０の記憶容量によって異なることがある。代わりに、チャネルヒストリーマップのサイズはチャネルヒストリーの総所望時間（例えば、３０分）に依存することができる。しかしながら、本発明はこのような例示的な事項によって制限されるものではない。
【００２３】
ユーザがチャネルマップをディスプレイするための命令を入力する時、制御部４０はディスプレイ部２０がＯＳＤ機能を用いて多数の既選択されたチャネルの付加情報を含むチャネルヒストリーマップをディスプレイするための該当制御信号を生成する。その後、ディスプレイされたチャネルマップを用いて、ユーザはチャネル変更、プレビュー及び、選択されたチャネルに対するお好みチャネル機能などのような多様なチャネル関連機能の中の何れかを行うための命令を下すことができる。
【００２４】
ユーザが遠隔制御装置又はキーパネルを用いてチャネル変更機能命令を入力する時、制御部４０はユーザにより選択された所望のチャネルに選局するための制御信号をチューナ１０に発生させる。
【００２５】
ユーザがプレビュー機能命令を入力する場合、制御部４０はメモリ５０の第２メモリ空間に記憶された所望のチャネルの詳細な付加情報（例えば、プログラムの詳細な説明）を読み出し、ディスプレイ部２０に読み出された情報をディスプレイできるようにする。このような読み出し情報は所望のチャネルのテキスト、映像プレビューなどを含むことができる。読み出し情報は現在時間情報、設定時間情報などを含むことができる。テレビシステムが両方向データ通信を支援する場合、制御部４０は所望のチャネルの放送信号を送信するように要請することで、ＶＯＤ（Ｖｉｄｅｏ Ｏｎ Ｄｅｍａｎｄ）サービスを提供することができる。このようなＶＯＤはセットインターバル（例えば、３０秒）により制限されることができる。
【００２６】
ユーザが好みチャネル機能の命令を入力する場合、制御部４０は所望のチャネルをお好みチャネルとして登録する。このようなお好みチャネル機能の命令は、最初の選択を登録し、同一チャネルの次の選択がそのチャネルをお好みチャネルとして取り去るようなトグル機能として実現され得る。
【００２７】
図１に示すように、好ましい実施形態はデジタルテレビシステムに関するものであるが、本発明はこれに限定されるものではない。例えば、本発明はセットトップ（ｓｅｔ−ｔｏｐ）ボックス用装置に適用されるか、又はテレビシステムのモニターのような別個のディスプレイ装置にチャネル選局情報を提供するための方法及び装置に適用され得る。
【００２８】
チャネル関連の機能は付加機能、例えば、プレーバック機能を含むことができる。このようなプレーバック機能はチャネルヒストリーマップを含むＯＳＤでの選択可能なチャネル関連機能と共に選択可能であることが好ましい。プレーバック機能は戻し機能、即ち、例えば設定時間又はユーザが選択可能な時間に選択されたチャネルに対して以前に視聴した内容をレビューできるような機能を含むことができる。プレーバック機能は、所定量、ユーザが選択可能な量の時間、又は映像データによって行われることができる。
【００２９】
図２は本発明によるチャネル選択ヒストリー情報を提供する方法の好ましい実施形態を示すフローチャートである。図２に示すように、方法はデジタルテレビシステムについて記述される。しかしながら、本発明はこれに限定されるものではない。
図２に示すように、プロセスが開始された後、図１に示すデジタルテレビシステムがオンされる（Ｓ９）。テレビシステムの制御部４０はチューナ１０にチャネルへの選局を指示し、該当放送信号を受信する（Ｓ１０）。例えば、チャネルはパワーオフ直前に選択されたチャネルであるか、ユーザ又は製造会社により指定されたチャネルであり得る。
【００３０】
次に、信号処理部３０は、放送信号を選局されたチャネルに従って映像及び音声信号と付加情報に変換する（Ｓ１１）。選局されたチャネルの付加情報は少なくとも一つの放送されたプログラムの放送日／時間情報、放送局名、プログラムのタイトル、プログラムのジャンル及び、プログラムレイティングなどを含む以前のプログラム情報及びチャネル識別子を含むことができる。
【００３１】
次に、信号処理部３０は映像及び音声信号に対する必要な処理を行い、分離された付加情報がメモリ５０の第１メモリ空間に記憶される（Ｓ１２）。その後、制御部４０はテレビシステムのディスプレイ部２０及びスピーカ（図示せず）が処理された映像及び音声信号をそれぞれ出力できるようにする。制御部４０はステップ１０で選局されたチャネルのディスプレイ時間をカウントする（Ｓ１３）。
【００３２】
また、制御部４０はチャネル変更命令がユーザから受信されるかの可否を判定することができ（Ｓ１４）、このような判定は繰り返して行われ得る。チャネル変更命令が受信された場合、制御部は選局されたチャネルのディスプレイ時間が設定時間より大きいかの可否を更に確認する（Ｓ１５）。ステップ１５で前記ディスプレイ時間が設定時間より大きいと判定された場合、制御部４０は付加情報が現在の日付／時間情報、選局されたチャネルの実際のチャネル番号、放送局名、及び／又は放送信号のタイプを含むテレビシステムのレファランス情報と一致するかの可否をチェックすることで、真正の情報であるかの判定を更に行う（Ｓ１６）。
【００３３】
放送信号の提供者は時々多数のテレビシステムに送出する放送信号に不正確な付加情報（例えば、不正確な放送時間）を含む。例えば、プロバイダーが以前に放送されたプログラムを再放送する時、付加情報を更新しないと、付加情報で指示される放送時間は実際の再放送時間と付合しないことがある。ステップ１５を行うことにより、特定の時間の間ユーザにより視聴されたチャネルのみがチャネルヒストリーマップに入力されるだろう。ステップ１６を行うことにより、このような再放送信号に含まれたエラー情報は第２メモリ空間に記憶されたチャネルヒストリーマップに含まれず、従って、ユーザに提供されない。
ステップ１５及び１６での各々の判定がネガティブである時、制御はステップ１８にジャンプする。
【００３４】
ステップ１６で選局されたチャネルの付加情報がテレビシステムのレファランス情報と一致すると判定されると、制御部４０はメモリ５０の第２メモリ空間に付加情報を記憶させ、チャネルヒストリーマップデータを構成させることができる（Ｓ１７）。チューナ１０はステップ１４でユーザから受信された命令に対応する所望のチャネルに選局する（Ｓ１８）。
好ましくは、ユーザがステップ１４で更なるチャネル変更命令を入力しないか、テレビシステムが作動しなくなるまでにステップ１２乃至１７が繰り返される。
従って、ユーザがチャネル変更命令を入力する毎に、制御部４０は現在選局されたチャネルの付加情報を第２メモリ空間に記憶させ、それに応じて、チャネル変更命令に従う所望のチャネルに選局する前に、チャネルヒストリーマップのデータを更新する。好ましくは、図２に示すプロセスは、テレビシステム、チャネルヒストリー能力などが作動しなくなる時などに終了する。
【００３５】
図３は本発明によるチャネルヒストリーマップを使用してチャネル関連の機能を行う方法の好ましい実施形態を示すフローチャートである。
図１及び図３の好ましい実施形態は、共に行われることが望ましい。図３に示すように、テレビシステムの制御部４０は初期にチャネルヒストリーマップモード（ＣＨ ＨＩＳＴＯＲＹ ＭＡＰ ＭＯＤＥ）がチャネルヒストリーマップディスプレイ用に設定されているかの可否をチェックする（Ｓ２０）。ユーザは、図４に示すように、例示的なＯＳＤメニューボックス上にディスプレイされたチャネルヒストリーマップのアイコンを選択するか、又は、図５に示すように、遠隔制御装置に提供されたチャネルヒストリーマップのボタンを押すことでチャネルヒストリーマップモードを設定することができる。ステップ２０でユーザによってチャネルヒストリーマップモードが設定されたと判定されると、制御部４０はディスプレイ部２０がチャネルヒストリーマップをディスプレイするように指示する（Ｓ２１）。
【００３６】
図６はユーザの要求時ディスプレイ部２０がＯＳＤ機能を用いてディスプレイするチャネルヒストリーマップの一例を示す。図６に示すように、ヒストリーマップは一連の既選択されたチャネルに対するヒストリーマップデータのセットを含み、データセットは以前のチャネル選択の順序に応じて構成され得る。
図６に示すように、それぞれの既選択されたチャネルに対するデータセットはチャネル識別子（例えば、チャネル番号）、放送プログラムの放送時間、ソース（例えば、放送局名）及びプログラムのタイトルを含む。
【００３７】
図３を再び参照すると、制御部４０はユーザがチャネル変更、プレビュー及びお好みチャネル機能などのようなチャネル関連機能のうち一つを行うため、ＯＳＤチャネルヒストリーマップで指示されたチャネルの中からどれを選択したかを更に判定することが望ましい（Ｓ２２）。選択可能なチャネルヒストリーマップはステップ２１でディスプレイされたものである。ステップ２２でチャネル選択命令がユーザから受信されたと判定されると、制御部４０は上述したチャネル関連の機能の中からどれをユーザが選択したのかを判定することが好ましい（Ｓ３０，Ｓ４０，Ｓ５０）。
【００３８】
ユーザがチャネルヒストリーマップを用いてチャネル変更機能を選択する場合、制御部４０はチューナ１０に選択されたチャネルに選局し、該当放送信号（Ｓ３１）を受信するように指示する（Ｓ３１）。ユーザがプレビュー機能を選択する場合、制御部４０はＶＯＤサービスを行ったり、ＯＳＤを用いて選択されたチャネルの詳細な付加情報をディスプレイするための制御信号を生成する（Ｓ４１）。ユーザがお好みチャネル機能を選択する場合、制御部４０は選択されたチャネルをお好みチャネルの中一つとして決定する（Ｓ５１）。
【００３９】
【発明の効果】
本発明に係る装置及び方法の好ましい実施形態によれば、以前のチャネル選択のチャネルヒストリー情報をユーザに提供することができる。ユーザは提供されたチャネルヒストリー情報を用いて、既選択されたチャネルのうち何れかに対する所望のＴＶ関連の機能を行うことができる。従って、ユーザは既選択されたチャネルのうち何れかを選択する機能、即ち、チャネル予備選択の機能をより効果的に行うことができる。
【図面の簡単な説明】
【図１】本発明に係るディスプレイ装置の好ましい実施形態を示す図である。
【図２】本発明に係るチャネルヒストリーマップのためのデータベースを構成する方法の好ましい実施形態を示すフローチャートである。
【図３】チャネルヒストリーマップを通して選択されたチャネルに対してチャネル関連機能を行う方法の好ましい実施形態を示すフローチャートである。
【図４】チャネルヒストリーマップを制御可能にディスプレイするためのＯＳＤメニューボックスの一例を示す図である。
【図５】チャネルヒストリーマップのための機能ボタンを有する遠隔制御装置の一例を示す図である。
【図６】本発明に係るチャネルヒストリーマップの一例を示す図である。
【符号の説明】
１０…チューナ
２０…ディスプレイ部
３０…信号処理部
４０…制御部
５０…メモリ
【図１】
0003857636.tif 000002
【図２】
0003857636.tif 000003
【図３】
0003857636.tif 000004
【図４】
0003857636.tif 000005
【図５】
0003857636.tif 000006
【図６】
0003857636.tif 000007